(57)【要約】【課題】  家中のガラス窓等に設置した部品を連結配線して破壊及び開放の二つの異常信号を検出し、これを一つの機器本体に集約して集中管理を行う。【解決手段】  容器１に振動共振装置２及び磁石３を設けてなる可動用部品図１と、容器５に振動センサー６及び連結配線用の端子１０、１０並びに磁力線感応式開閉スイッチ７及び連結配線用の端子１１、１１を設けてなる固定用部品図２とを一対として構成する振動センサー付き開閉スイッチ。【選択図】  図１
2005044324.tif 000002
【特許請求の範囲】
【請求項１】
容器１に振動共振装置２及び磁石３を設けてなる可動用部品図１と、容器５に振動センサー６及び連結配線用の端子１０、１０並びに磁力線感応式開閉スイッチ７及び連結配線用の端子１１、１１を設けてなる固定用部品図２とを一対として構成する振動センサー付き開閉スイッチ。
【発明の詳細な説明】
【技術分野】
【０００１】  本発明は、防犯用の振動センサー付き開閉スイッチに関するものである。
【背景技術】
【０００２】  従来の開閉スイッチは、磁石と一対をなす磁力線感応式開閉スイッチとしてよく知られており、窓等の可動部分に磁石を取り付け、固定部分に連結配線用の端子を設けた磁力線感応式開閉スイッチを取り付け、窓等の開閉に伴い、磁力線の働きで磁力線感応式開閉スイッチが作動するものであるが、この機構の欠点は、ガラス窓等の開閉はせずに窓ガラスの焼き破り等による破壊侵入に対しては、当然ながら開閉スイッチは作動しない。
また、従来の、開閉窓に使用する破壊センサーは、この機器本体が振動感知器を兼ねているため直接窓ガラス等の可動部分に取り付ける電池式となっており、一カ所対応型のため、複数箇所の部品を連結配線しての集中管理は出来なかった。
また、集中管理が可能な破壊センサーはあっても、それは嵌め殺しの開かないガラス窓専用のため開閉式の窓等には使用出来なかった。
【発明の開示】
【発明が解決しようとする課題】
【０００３】  従来の磁石と一対型の磁力線感応式開閉スイッチは、窓ガラスの破壊によるこの穴からの侵入には全く作動しないという盲点があった。
また、従来の開閉窓等の破壊センサーは、可動部分と固定部分に分断された空間を磁力線で繋ぐ方式ではなかったため、必然的に機器本体が破壊センサーを兼ねるものとなり、これを直接可動部分に取り付けることから、当然ながら電源供給のための配線が困難なため電池式とならざるを得ず、部品の連結配線も出来ないため一つの機器本体に集約して集中管理を行うことは出来なかった。
また、電池式の機器本体を家中の各窓に使用するとなるとその数は膨大なものとなり、電池交換など管理の面でも大変であり使用実態にそぐわなかった。
また、連結配線可能な破壊センサーがあってもそれは嵌め殺しの開かないガラス窓専用のものであり開閉式の窓等には使用出来なかった。
このように、従来の技術では家中全部の開閉窓等の部品を連結配線して破壊と開閉の二つの異常信号を一つの機器本体に集約しての集中管理は出来なかった。
そこで、従来の磁石と一対型の磁力線感応式開閉スイッチの機構を踏襲しながら、これに破壊センサーの機構を合体させ、破壊と開閉の二つの異常信号を感知する機構を兼備したところの振動センサー付き開閉スイッチを実現しようとするものである。
【課題を解決するための手段】
【０００４】  本発明による振動センサー付き開閉スイッチは、従来の磁石と一対型の磁力線感応式開閉スイッチの機構を踏襲し、これに本発明の振動センサー機構を合体したものである。
この振動センサー機構とは、破壊に伴う振動エネルギーを電気的エネルギーに変換して振動信号として取り出すものであり、これは磁石３の磁力線をこの機構にもコードレスとして共用した振動共振装置２及び振動センサー６の部品からなり、これらをそれぞれ従来の部品に合体したものである。
即ち、可動用部品図１としては、容器１に振動共振装置２及び磁石３を設けたものであり、この振動共振装置２とは、磁力線に干渉する金属製のコイルバネを適当に引き延ばして浮かした状態で両端を留め具４、４で固定した振動共振体である。
固定用部品図２としては、容器５に振動センサー６及び連結配線用の端子１０、１０並びに磁力線感応式開閉スイッチ７及び連結配線用の端子１１、１１を設けたものである。
これら部品の取付使用方法は、開閉窓等の可動部分に取り付ける可動用部品図１ならびに開閉窓等を保持する壁固定の外枠などの固定部分に取り付ける固定用部品図２を一対として使用するものであり、振動共振装置２と磁力線感応式開閉スイッチ７はそれぞれ内側で近接するように取り付け、振動センサー６及び開閉スイッチ７については、それぞれの端子を連結配線して機器本体に集約するものである。
このような状態において、まず、ガラス窓等が開放された場合には、従来どおりの開閉スイッチとして、磁石３から放射される磁力線の減衰に伴い磁力線感応式開閉スイッチ７がこの異常を感知して接又は断の状態を実現する。
次に、窓ガラス等が破壊された場合には、本発明の振動センサー機構が作動し、この破壊行動に伴う振動エネルギーが、振動共振装置２の振動共振体を振るわせて磁石３からの放射磁力線に干渉し、この干渉を伴った磁力線は振動センサー６に誘導作用してこれに電気的エネルギーが生じることから窓ガラス等の破壊行動が振動信号として検出される。
なお、この振動信号の処理について必要がある場合は、実施例に記載のように、電導コイル９の端末に半導体ダイオード等の電子部品を組み込んで連結用端子１０、１０に接続し、さらに電源が必要であれば、電源供給用の接続端子を別に増設して対応することができる。
また、振動共振装置２及び振動センサー６についても実施例に記載のように、変化を持たせたり小型化を図るなどして対応することが出来る。
以上のように破壊と開閉の二つの異常信号を感知する機構を兼備し、固定用部品図２の連結配線も可能となったことから一個の機器本体に集約しての集中管理が可能となった。
【発明の効果】
【０００５】  本発明による振動センサー付き開閉スイッチは、従来の磁石と一対型の磁力線感応式開閉スイッチの機構を踏襲し、これに本発明の振動センサー機構を合体したことにより、破壊と開閉の二つの異常信号を感知する機構を兼備し、且つ、固定用部品図２の連結配線も可能となったことから、その対象は玄関扉や開閉窓のほか嵌め殺しの窓等にも使用範囲が拡大され、しかも一個の機器本体に集約して集中管理を行う事が出来るようになった。
また、ガラス窓等が開放された場合には、従来どおりの磁力線感応式開閉スイッチとして機能を発揮し、窓ガラス等が破壊された場合には、本発明の機構により、この破壊行動に伴う振動エネルギーが、振動共振装置２の振動共振体を振るわせて磁石３からの放射磁力線に干渉し、この干渉を伴った磁力線は振動センサー６に誘導作用してこれに電気的エネルギーが生じることから窓ガラス等の破壊行動が振動信号として検出される。
これらのことから、従来の幾つかの問題点、即ち、
従来の磁力線感応式開閉スイッチは、ガラス窓等を開閉した場合にのみ、このスイッチが働くことから、ガラス窓等が閉ったままの状態での破壊侵入には全く作動しないという盲点があった。
また、従来は開閉窓等の破壊センサーはあったが、これは可動部分と固定部分に分断された空間を磁力線で繋ぐ方式ではなかったため、必然的に機器本体が破壊センサーを兼ねるものとなり、これを直接可動部分に取り付けることから、当然ながら電源供給のための配線が困難なため電池式とならざるを得ず、部品の連結配線も出来ないため一つの機器本体に集約して集中管理を行うことは出来なかった。
また、従来は連結配線可能な破壊センサーはあっても、それは嵌め殺しのガラス窓専用のものであった。
また、各部屋の全窓について破壊センサーの機器本体を使用するとなると、その数は膨大なものとなり電池の交換など管理の面でも大変なことから使用実態にそぐわなかった。
等等の問題点はすべて解決され、防犯上の盲点を無くすことが出来る。
【発明を実施するための最良の形態】
【０００６】  本発明の振動センサー付き開閉スイッチは、従来の磁力線感応式開閉スイッチの機構を踏襲し、これに本発明の振動センサー機構を合体させたことにより、窓等の破壊と開閉の二つの異常信号を感知する機構を兼備したものとなっており、従来の磁力線感応式開閉スイッチの機構と同様に、固定用部品図２を連結配線して一個の機器本体に集約し、これを警報回路にリンクして集中管理を行うことが出来る。
部品としては開閉窓等の可動部分に取り付ける可動用部品図１ならびに開閉窓等を保持する壁固定の外枠などの固定部分に取り付ける固定用部品図２の二種類からなり、これらの部品を一対として使用するものである。
これら部品の取付使用方法は、上記二種類の部品を可能な限り近接して取り付けるものであるが、この場合、振動共振装置２と磁力線感応式開閉スイッチ７はそれぞれ内側で近接するように取り付けて一対をなすことにより最大の効果を発揮する。
このような状態において、まず、ガラス窓等が開放された場合には、従来どおりの開閉スイッチとして機能を発揮し、磁石３から放射される磁力線の減衰に伴い、磁力線感応式開閉スイッチ７がこれを感知して接又は断の状態を実現する。
また、窓ガラス等が破壊された場合には、本発明の振動センサー機構が作動し、この破壊行動に伴う振動エネルギーが、振動共振装置２の振動共振体を振るわせて磁石３からの放射磁力線に干渉し、この干渉を伴った磁力線は振動センサー６に誘導作用してこれに電気的エネルギーが生じることから窓ガラス等の破壊行動が振動信号として検出される。
【実施例１】
【０００７】  必要により、振動センサー６の電導コイル９の端末に半導体ダイオード等の電子部品を組み込んで連結配線用端子１０、１０に接続し、さらに電源が必要であれば電源供給用の接続端子を別に増設して対応することができる。
【実施例２】
【０００８】  磁石３も振るわせるため、金属製の板バネ又は棒バネに磁石３を取り付けてもよい。
【実施例３】
【０００９】  振動共振装置２のコイルバネ式振動共振体を複数本平行に設けてもよい。
【実施例４】
【００１０】  振動共振装置２のコイルバネ式振動共振体を金属製の板バネ又は棒バネに平行に取り付け、これら全体を振動共振体としてもよい。
【実施例５】
【００１１】  振動共振装置２のコイルバネ式振動共振体の代わりに、金属製の板バネあるいは棒バネを取り付け、これを振動共振体としてもよい。
【実施例６】
【００１２】  鉄芯８を省き、磁力線感応式開閉スイッチ７を振動センサー６の中心に入れてもよい。
【実施例７】
【００１３】  鉄心８と共に磁力線感応式開閉スイッチ７を振動センサー６の中心に併入してもよい。
【産業上の利用可能性】
【００１４】  ガラス窓等の開放侵入はもちろんのこと、最近巷で多発している窓ガラスの焼き破り等の破壊侵入に対する防犯対策にも幅広く利用される。
【図面の簡単な説明】
【００１５】
【図１】  可動用部品の内容を示す正面図
【図２】  固定用部品の内容を示す正面図
【図３】  固定用部品図２の右側を示し、容器５に蓋１２をした右側面図である。
【図４】  可動用部品図１ならびに固定用部品図２の左側を示すもので、これらの容器１、５に蓋１２をした左側面図である。なお、可動用部品図１の右側面図については図４と対象であるため省略する。
【符号の説明】
【００１６】１：可動用部品の容器
２：振動共振装置
３：磁石
４：留め具
５：固定用部品の容器
６：振動センサー
７：磁力線感応式開閉スイッチ
８：鉄心
９：電導コイル
１０：振動センサー６の連結配線用端子
１１：磁力線感応式開閉スイッチ７の連結配線用端子
１２：容器１、容器５の蓋
【図１】
2005044324.tif 000003
【図２】
2005044324.tif 000004
【図３】
2005044324.tif 000005
【図４】
2005044324.tif 000006